(57)【要約】【課題】複数の放電電極を比較的狭い設置スペースに設置することができ、比較的小型にすることができるとともに、コストを低減することができる静電霧化装置を提供する。【解決手段】一面に複数の放熱フィン４４ａを有する放熱板４４の他面に、放電により帯電微粒子水が発生する異極性の複数の放電電極４２，４２を離隔して配し、放熱板４４における放電電極４２，４２の間が、放電電極４２，４２間部分の結露を蒸発させ、絶縁を確保できるようにした。【選択図】図３
2013049039.tif 000002
【特許請求の範囲】
【請求項１】
放電により帯電微粒子水が発生する放電電極と、その吸熱側の面が前記放電電極と対接するペルチェ素子と、該ペルチェ素子の放熱側の面が熱接触する放熱板とを有する静電霧化装置において、
前記放熱板は、一面に複数の放熱凸部を有しており、
前記放熱板の他面に、前記ペルチェ素子が対接している複数の放電電極を離隔して配してあることを特徴とする静電霧化装置。
【請求項２】
前記放熱板の他面は、前記放電電極夫々の間に突起を設けてある請求項１記載の静電霧化装置。
【請求項３】
前記放電電極は放電棒部を有し、該放電棒部の先端と対向する位置に誘導電極環を配してあり、前記突起は、前記放電棒部の先端よりも前記誘導電極環側の位置に亘って配してある請求項２記載の静電霧化装置。
【請求項４】
前記放熱板の他面は、前記放電電極夫々の間に、前記放電電極が離隔する方向と交差する方向に伸びる溝を設けてある請求項１記載の静電霧化装置。
【請求項５】
前記突起は、前記放電電極の少なくとも一方の周りを取り囲む筒形をなしている請求項２又は３記載の静電霧化装置。
【請求項６】
前記ペルチェ素子は、前記放電電極夫々に亘って一体に形成してある請求項１から５のいずれか一つに記載の静電霧化装置。
【請求項７】
前記ペルチェ素子は、前記放電電極夫々の間に絶縁突起を設けてある請求項６記載の静電霧化装置。
【発明の詳細な説明】
【技術分野】
【０００１】
本発明は放電により帯電微粒子水が発生する放電電極及びペルチェ素子を有する静電霧化装置に関する。
【背景技術】
【０００２】
静電霧化装置は、電圧が印加されることにより一面が吸熱し、他面が発熱するペルチェ素子の一面に放電電極が結合され、ペルチェ素子の他面に、放熱フィンを有する放熱板が結合され、電圧がペルチェ素子に印加されることにより放電電極を冷却し、空気中の水分を放電電極の先端部に結露させ、電圧が放電電極に印加されることにより該放電電極の先端部に静電霧化現象を発生させ、負極性の帯電微粒子水を発生させるように構成されている（例えば、特許文献１参照）。
【先行技術文献】
【特許文献】
【０００３】
【特許文献１】特開２０１１−３３２９３号公報
【発明の概要】
【発明が解決しようとする課題】
【０００４】
ところで、ペルチェ素子、放電電極及び放熱板を有する静電霧化装置において、複数の放電電極を離隔して配し、放電電極夫々が負極性の帯電微粒子水を発生することにより、空気中の負極性の帯電微粒子水の量を多くすることが考えられる。
【０００５】
しかし、複数の放電電極を備える場合、放電電極の個数が増えるだけでなく、放電電極が結合されるペルチェ素子、及び放電電極に結合される放熱板の個数も増え、放電電極、ペルチェ素子及び放熱板を有するユニットの複数が離隔して配されることになるため、ユニットの設置スペースが広くなり、コストも高くなる。
【０００６】
本発明は斯かる事情に鑑みてなされたものであり、主たる目的は、一面に複数の放熱凸部を有する放熱板の他面に、ペルチェ素子が対接している複数の放電電極を配することにより、複数の放電電極を比較的狭い設置スペースに設置することができ、比較的小型にすることができるとともに、コストを低減することができる静電霧化装置を提供することにある。
【課題を解決するための手段】
【０００７】
本発明に係る静電霧化装置は、放電により帯電微粒子水が発生する放電電極と、その吸熱側の面が前記放電電極と対接するペルチェ素子と、該ペルチェ素子の放熱側の面が熱接触する放熱板とを有する静電霧化装置において、前記放熱板は、一面に複数の放熱凸部を有しており、前記放熱板の他面に、前記ペルチェ素子が対接している複数の放電電極を離隔して配してあることを特徴とする。
【０００８】
この発明にあっては、一面に複数の放熱凸部を有する放熱板の他面に複数の放電電極を配してあり、放熱板と複数の放電電極及びペルチェ素子とがユニットになっているため、複数の放電電極を比較的狭い設置スペースに設置することができ、比較的小型にすることができるとともに、コストを低減することができる。また、離隔する放電電極の間に放熱板があるため、放電電極夫々の周りに結露する場合であっても、放電電極の間の結露を放熱板にて防ぐことができ、極性が異なる放電電極間の絶縁を確保することができる。
【０００９】
また、本発明に係る静電霧化装置は、前記放熱板の他面は、前記放電電極夫々の間に突起を設けてある構成とするのが好ましい。
この発明にあっては、離隔する放電電極の間に突起があるため、放電電極間の離隔寸法を短くし、小型化を図った場合においても、放電電極間の沿面距離を確保することができ、極性が異なる放電電極間の絶縁を確保することができる。また、放熱板の熱が突起に伝達され、突起が加熱されるため、放電電極周りの空気の温度を高めることができる。特に、低温時（例えば５℃以下）には、放電電極周りの空気を加熱しながら放電電極を冷却することにより、放電電極に付着した水の凍結を防止しながら、放電電極と空気との温度差を発生させて放電電極を結露させることができ、帯電微粒子水の発生量を多くすることができる。
【００１０】
また、本発明に係る静電霧化装置は、前記放電電極は放電棒部を有し、該放電棒部の先端と対向する位置に誘導電極環を配してあり、前記突起は、前記放電棒部の先端よりも前記誘導電極環側の位置に亘って配してある構成とするのが好ましい。
この発明にあっては、隣合う放電電極間を突起にて遮蔽することができるので、隣合う放電電極の極性が異なる場合においても、極性が異なる放電電極間で正極性の帯電微粒子水と負極性の帯電微粒子水とが再結合するのを防ぐことができる。
【００１１】
また、本発明に係る静電霧化装置は、前記放熱板の他面は、前記放電電極夫々の間に、前記放電電極が離隔する方向と交差する方向に伸びる溝を設けてある構成とするのが好ましい。
この発明にあっては、隣合う放電電極間における放熱板の表面積を多くすることができ、当該部分の放熱性を高めることができるため、放電電極の放熱板側が結露することがあっても、当該部分の結露を速やかに蒸発させることが可能であり、また、隣合う放電電極間で熱を移動させ難くすることができ、各放電電極側の熱を放熱板から放熱することができる。
【００１２】
また、本発明に係る静電霧化装置は、前記突起は、前記放電電極の少なくとも一方の周りを取り囲む筒形をなしている構成とするのが好ましい。
この発明にあっては、隣合う放電電極間を筒形の突起にて遮蔽することができるので、隣合う放電電極の極性が異なる場合においても、隣合う放電電極間で正極性の帯電微粒子水と負極性の帯電微粒子水とが再結合するのを防ぐことができる。
【００１３】
また、本発明に係る静電霧化装置は、前記ペルチェ素子は、前記放電電極夫々に亘って一体に形成してある構成とするのが好ましい。
この発明にあっては、複数の放電電極に対して放熱板及びペルチェ素子の夫々が一つであり、部品点数を低減できるので、コストをより一層低減できる。
【００１４】
また、本発明に係る静電霧化装置は、前記ペルチェ素子は、前記放電電極夫々の間に絶縁突起を設けてある構成とするのが好ましい。
この発明にあっては、離隔する放電電極の間に絶縁突起があるため、放電電極間の離隔寸法を短くし、小型化を図った場合においても、放電電極間の沿面距離を確保することができ、極性が異なる放電電極間の絶縁を確保することができる。また、絶縁突起はペルチェ素子にて吸熱されにくいため、絶縁突起周りの結露を抑制することができる。
【発明の効果】
【００１５】
本発明によれば、一面に複数の放熱凸部を有する放熱板の他面に複数の放電電極を配してあり、放熱板と複数の放電電極及びペルチェ素子とがユニットになっているため、複数の放電電極を比較的狭い設置スペースに設置することができ、比較的小型にすることができるとともに、コストを低減することができる。また、離隔する放電電極の間に放熱板があるため、放電電極夫々の周りに結露する場合であっても、放電電極の間の結露を放熱板にて防ぐことができ、放電電極間の絶縁を確保することができる。
【００１６】
また、本発明によれば、離隔する放電電極の間に突起があるため、放電電極間の離隔寸法を短くし、小型化を図った場合においても、放電電極間の沿面距離を確保することができ、放電電極間の絶縁を確保することができる。また、放熱板の熱が突起に伝達され、突起が加熱されるため、放電電極周りの空気の温度を高めることができ、放電電極が結露し易くなり、帯電微粒子水の発生量を多くすることができるとともに、放電電極に結露させるために必要な消費電力を低減できる。
【図面の簡単な説明】
【００１７】
【図１】本発明に係る静電霧化装置の構成を示す縦断側面図である。
【図２】本発明に係る静電霧化装置の構成を示す縦断正面図である。
【図３】本発明に係る帯電微粒子水発生部の構成を示す模式図であり、Ａは正面図、Ｂは平面図である。
【図４】本発明に係る帯電微粒子水発生部の構成を示す拡大断面図である。
【図５】本発明に係る帯電微粒子水発生部の放電電極間に結露が生じている状態を示す説明図である。
【図６】本発明に係る帯電微粒子水発生部の他の構成を示す模式図であり、Ａは正面図、Ｂは平面図である。
【図７】本発明に係る帯電微粒子水発生部の他の構成を示す模式図であり、Ａは正面図、Ｂは平面図である。
【図８】本発明に係る帯電微粒子水発生部の他の構成を示す模式図であり、Ａは正面図、Ｂは平面図である。
【図９】本発明に係る帯電微粒子水発生部の他の構成を示す模式図であり、Ａは正面図、Ｂは平面図である。
【図１０】本発明に係る静電霧化装置の他の構成を示す一部を省略した断面図である。
【図１１】本発明に係る静電霧化装置の他の構成を示す縦断正面図である。
【図１２】図１１のXII −XII 線断面図である。
【発明を実施するための形態】
【００１８】
以下本発明をその実施の形態を示す図面に基づいて詳述する。
実施の形態１
図１は本発明に係る静電霧化装置の構成を示す縦断側面図、図２は静電霧化装置の構成を示す縦断正面図、図３は帯電微粒子水発生部の構成を示す模式図であり、Ａは正面図、Ｂは平面図、図４は帯電微粒子水発生部の構成を示す拡大断面図、図５は帯電微粒子水発生部の放電電極間に結露が生じている状態を示す説明図である。
【００１９】
図１に示した静電霧化装置は、後面下部に吸込口１１を有し、上部に吹出口１２を有するハウジング１と、該ハウジング１内に内装されているケーシング２と、該ケーシング２内の下部に配されている送風機３と、ハウジング１内における送風機３及び吹出口１２間に配されている帯電微粒子水発生部４とを備える。
【００２０】
ハウジング１は平面視矩形をなす底壁１ａと、該底壁１ａの二辺に連なる前壁１ｂ、後壁１ｃ及び底壁１ａの他の二辺に連なる側壁と、前壁１ｂ及び後壁１ｃ間に配された中間壁１ｄと、天壁１ｅとを有する略直方体をなし、後壁１ｃに吸込口１１が開設され、天壁１ｅに吹出口１２が開設されている。
【００２１】
中間壁１ｄは吸込口１１の縁に連なる皿形状をなし、下部の送風機３と対向する箇所に連通孔１ｆが開設されており、また、上部の帯電微粒子水発生部４と対向する箇所に孔１ｇが開設されている。中間壁１ｄ内の吸込口１１と対向する箇所には、送風機３が吸込口１１から吸込む空気を通過させ、該空気中の異物を除去して清浄空気にするフィルタ５が取付けられている。また、ハウジング１の天壁１ｅで、吹出口１２の一側には、運転スイッチなどの複数のスイッチ及びランプなどの表示手段を含む操作部が設けられている。
【００２２】
ケーシング２は、ハウジング１の前壁１ｂ及び中間壁１ｄの間に配されており、前後に離隔して対向する前壁２ａ、後壁２ｂ、前壁２ａ及び後壁２ｂ間の下部に配されている湾曲誘導壁２ｃと、該湾曲誘導壁２ｃの上端に連なる二つの側壁２ｄ，２ｅとを有し、上部が吹出口１２に開放されており、前壁２ａ、後壁２ｂ及び側壁２ｄ，２ｅ間に通流路２１が形成されている。通流路２１における前壁２ａ及び後壁２ｂは吹出口１２に向けて後方へ若干傾斜し、通流路２１の吹出口側断面積が送風機側断面積よりも狭くなっている。
【００２３】
一方の側壁２ｄは、湾曲誘導壁２ｃの一端から上方へほぼまっすぐに配され、他方の側壁２ｅは、湾曲誘導壁２ｃの他端から該湾曲誘導壁２ｃの内側に回転自在に配される羽根車の接線方向へ傾斜して配されている。
【００２４】
通流路２１における後壁２ｂの上下中央部には孔２２が開設されている。また、後壁２ｂの下部には連通孔１ｆの縁に連なる吸気孔２３が開設されている。
【００２５】
送風機３は、ケーシング２の湾曲誘導壁２ｃ内に前後方向への回転軸を中心として回転自在に収容されている羽根車３１と、該羽根車３１を駆動する電動モータ３２とを有し、該電動モータ３２がケーシング２の前壁２ａに取付けられている。羽根車３１はシロッコファンであり、羽根車３１の回転により送出される空気が、通流路２１を経て吹出口１２から外部へ放出される。また、羽根車３１の周方向１箇所での接線方向に側壁２ｅが配されている。
【００２６】
帯電微粒子水発生部４は、電圧が印加されることにより一面が吸熱し、他面が発熱する二つのペルチェ素子４１，４１と、該ペルチェ素子４１，４１の一面に結合され、ケーシング２の孔２２から通流路２１に臨み、極性が異なる二つの放電電極４２，４２と、該放電電極４２，４２の先端部に対向する二つの誘導電極環４３，４３と、一面に複数の放熱フィン４４ａを有し他面がペルチェ素子４１，４１の他面に結合されている放熱板４４と、ペルチェ素子４１，４１及び誘導電極環４３，４３を保持する保持ケース４５とを備え、ペルチェ素子４１，４１に電圧を印加することにより放電電極４２，４２を冷却し、空気中の水分を放電電極４２，４２の先端部に結露させ、放電電極４２，４２に電圧を印加することにより該放電電極４２，４２の先端部に静電霧化現象を発生させ、正極性の帯電微粒子水と、負極性の帯電微粒子水とを発生させるように構成されている。
【００２７】
保持ケース４５は、四角形の開放口を有する大角筒部４５ａと、該大角筒部４５ａに連なる小角筒部４５ｂと、該小角筒部４５ｂの端を閉じる蓋部４５ｃと、大角筒部４５ａ及び小角筒部４５ｂ間を仕切る仕切部４５ｄとを有する有底の角筒形をなしている。
【００２８】
仕切部４５ｄは、離隔した二つの位置に電極保持凹部４５ｅ，４５ｅ及び該電極保持凹部４５ｅ，４５ｅの中央部を貫通する挿通孔４５ｆ，４５ｆが開設されており、該挿通孔４５ｆ，４５ｆに放電電極４２，４２の放電棒部が挿通されている。
【００２９】
蓋部４５ｃの挿通孔４５ｆ，４５ｆと対向する位置には保持孔４５ｇ，４５ｇが開設されており、該保持孔４５ｇ，４５ｇに誘導電極環４３，４３が保持されている。
【００３０】
大角筒部４５ａ内には、直方形をなす二つのペルチェ素子４１，４１が並べて収容されており、大角筒部４５ａの開放口端に放熱板４４が取付けられている。
【００３１】
放熱板４４はアルミニウム製であり、大角筒部４５ａに対応する直方形をなし、一面の長手方向へ離隔した位置にペルチェ素子４１，４１の発熱側面が結合され、他面に、放電電極４２，４２の離隔方向に離隔して複数の放熱フィン４４ａが突設されている。放熱フィン４４ａは放熱凸部を構成する。
【００３２】
放電電極４２，４２は、四角形をなす電極板部４２ａ，４２ａ及び該電極板部４２ａ，４２ａの一面中央部に配された放電棒部４２ｂ，４２ｂを有し、電極板部４２ａ，４２ａが電極保持凹部４５ｅ，４５ｅに保持され、該電極板部４２ａ，４２ａの他面がペルチェ素子４１，４１の吸熱側面に結合されており、放電棒部４２ｂ，４２ｂが挿通孔４５ｆ，４５ｆから小角筒部４５ｂ内に挿入され、該放電棒部４２ｂ，４２ｂの先端が誘導電極環４３，４３の中央部と離隔対向している。
【００３３】
帯電微粒子水発生部４は、放電電極４２，４２及び誘導電極環４３，４３がケーシング２の孔２２から通流路２１に臨むように保持ケース４５がケーシング２に取付けられ、放熱板４４の放熱フィン４４ａが中間壁１ｄの孔１ｇから中間壁１ｄ内側の空気吸込路に露出し、空気吸込路を通流する吸込空気にて冷却されるようになしてある。
【００３４】
以上のように構成された静電霧化装置の運転動作について説明する。静電霧化装置は吸込口１１が壁側となるように居住室内の壁の近くに据えられる。操作部に配置されている運転スイッチを操作することにより、帯電微粒子水発生部４及び送風機３が運転を開始する。送風機３の羽根車３１は、図２に示すように電動モータ３２の出力軸を中心として時計回りに回転する。羽根車３１によって吸込口１１からフィルタ５を経て吸込まれた空気はケーシング２の湾曲誘導壁２ｃにより誘導されて上方の通流路２１へ送出される。
【００３５】
通流路２１には静電霧化現象により正極性の帯電微粒子水と、負極性の帯電微粒子水とを発生する帯電微粒子水発生部４を配してあるため、該帯電微粒子水発生部４が通流路２１に沿って上方へ通流する空気中に正極性の帯電微粒子水及び負極性の帯電微粒子水を発生させる。この正極性の帯電微粒子水及び負極性の帯電微粒子水を含む空気が通流路２１を上方へ通流し、吹出口１２から居住室内に放出される。
【００３６】
極性が異なる二つの放電電極４２，４２の電極板部４２ａ，４２ａにはペルチェ素子４１，４１が別個に結合されており、該ペルチェ素子４１，４１を介して二つの放電電極４２，４２の電極板部４２ａ，４２ａが、一面に複数の放熱フィン４４ａを有する放熱板４４の他面に離隔して結合されており、放電電極４２，４２の間に放熱板４４があるため、放電電極４２，４２夫々の周りに結露することがあっても、放電電極４２，４２の間の結露を放熱板４４にて防ぐことができ、放電電極４２，４２間の絶縁を確保することができる。
【００３７】
実施の形態２
図６は帯電微粒子水発生部の他の構成を示す模式図であり、Ａは正面図、Ｂは平面図である。この静電霧化装置は、放熱板４４における他面の放電電極４２，４２間に、放電電極４２，４２の離隔方向と交差する方向に伸びる溝４６を設け、放電電極４２，４２間における放熱板４４の表面積を多くしたものである。
溝４６は、断面凹形又は断面Ｖ字形であり、平行的に複数配してある。溝４６は一つであってもよい。
【００３８】
この実施の形態にあっては、放熱板４４における放電電極４２，４２間の放熱性を高めることができるため、放電電極４２，４２の放熱板４４側が結露することがあっても、当該部分の結露を速やかに蒸発させることができ、放電電極４２，４２間で熱を移動させ難くすることができ、各放電電極４２，４２側の熱を放熱板４４から放熱することができる。
その他の構成及び作用は実施の形態１と同様であるため、同様の部品については同じ符号を付し、その詳細な説明及び作用効果の説明を省略する。
【００３９】
実施の形態３
図７は帯電微粒子水発生部の他の構成を示す模式図であり、Ａは正面図、Ｂは平面図である。この静電霧化装置は、放熱板４４における他面の放電電極４２，４２間に、放電棒部４２ｂ，４２ｂの先端よりも誘導電極環４３，４３側の位置に亘って突起４７を一体に設け、放電電極４２，４２間を突起４７にて遮蔽したものである。
突起４７は、放電電極４２，４２の離隔方向と交差する方向に長い矩形の板状をなし、放熱板４４とほぼ同幅に形成されている。
【００４０】
この実施の形態にあっては、正極性の放電電極４２が発生した帯電微粒子水と、負極性の放電電極４２が発生した帯電微粒子水とが保持ケース４５内で再結合するのを防ぐことができ、通流路２１を通流する空気中へ放出される正極性の帯電微粒子水の量と、負極性の帯電微粒子水の量とを多くすることができる。
その他の構成及び作用は実施の形態１と同様であるため、同様の部品については同じ符号を付し、その詳細な説明及び作用効果の説明を省略する。
【００４１】
実施の形態４
図８は帯電微粒子水発生部の他の構成を示す模式図であり、Ａは正面図、Ｂは平面図である。この静電霧化装置は、放熱板４４の他面に、ペルチェ素子４１，４１及び放電電極４２，４２を取り囲む筒形の突起４８，４８を、放電棒部４２ｂ，４２ｂの先端よりも誘導電極環４３，４３側の位置に亘って一体に設け、放電電極４２，４２間を筒形の突起４８，４８にて遮蔽したものである。
【００４２】
筒形の突起４８，４８は円筒形をなし、放熱板４４と一体に形成されている。筒形の突起４８，４８は円筒形の他、角筒形、断面略Ｃ字形であってもよい。断面略Ｃ字形の場合、周方向の開口が放電電極４２，４２と非対向の位置に配される。
【００４３】
この実施の形態にあっては、正極性の放電電極が発生した帯電微粒子水と、負極性の放電電極が発生した帯電微粒子水とが保持ケース４５内で再結合するのを防ぐことができ、通流路２１を通流する空気中へ放出される正極性の帯電微粒子水の量と、負極性の帯電微粒子水の量とを多くすることができる。
その他の構成及び作用は実施の形態１と同様であるため、同様の部品については同じ符号を付し、その詳細な説明及び作用効果の説明を省略する。
【００４４】
実施の形態５
図９は帯電微粒子水発生部の他の構成を示す模式図であり、Ａは正面図、Ｂは平面図である。この静電霧化装置は、ペルチェ素子４１が放電電極４２，４２夫々に亘って一体に形成してあり、ペルチェ素子４１における一面の放電電極４２，４２間に、放電棒部４２ｂ，４２ｂの先端よりも誘導電極環４３，４３側の位置に亘って絶縁突起４９を設け、極性が異なる放電電極４２，４２間を絶縁突起４９にて遮蔽したものである。
【００４５】
絶縁突起４９は、セラミックスなどの絶縁材からなり、放電電極４２，４２の離隔方向と交差する方向に長い矩形の板状をなし、放熱板４４の幅よりも広幅に形成され、絶縁突起４９の幅方向両端部が放熱板４４よりも外方へ突出し、放電電極４２，４２間の沿面距離を確保してある。絶縁突起４９は接着剤にてペルチェ素子４１に結合されている。
【００４６】
この実施の形態にあっては、放電電極４２，４２間の離隔寸法を短くし、小型化を図った場合においても、放電電極４２，４２間の沿面距離を確保することができ、放電電極４２，４２間の絶縁を確保することができる。また、絶縁突起４９はペルチェ素子４１にて吸熱されにくいため、絶縁突起４９周りの結露を抑制することができる。
その他の構成及び作用は実施の形態１と同様であるため、同様の部品については同じ符号を付し、その詳細な説明及び作用効果の説明を省略する。
【００４７】
実施の形態６
図１０は本発明に係る静電霧化装置の他の構成を示す一部を省略した断面図である。この静電霧化装置は、ケーシング２の側壁２ｅに帯電微粒子水発生部４を取付け、該帯電微粒子水発生部４の放熱板４４を通流路２１に臨ませ、通流路２１に連通する連通路２１ａに放電電極４２及び誘導電極環４３を臨ませたものである。
【００４８】
ケーシング２の側壁２ｅには通流路２１に開口する孔２２と、該孔２２に連通し通流方向下流側（吹出口１２側）へ離隔した位置で通流路２１に開口する連通孔２１ａとが開設され、放熱板４４が孔２２から通流路２１に臨み、放電電極４２，４２及び誘導電極環４３，４３が連通孔２１ａから通流路２１に臨むように保持ケース４５が側壁２ｅに取付けられている。
【００４９】
この実施の形態にあっては、帯電微粒子水発生部４の放熱板４４が通流路２１に配されており、送風機３から通流路２１に送出される空気にて放熱板４４を冷却することができるため、放熱板４４の放熱性を高めることができる。
その他の構成及び作用は実施の形態１と同様であるため、同様の部品については同じ符号を付し、その詳細な説明及び作用効果の説明を省略する。
【００５０】
実施の形態７
図１１は本発明に係る静電霧化装置の他の構成を示す縦断正面図、図１２は図１１のXII −XII 線断面図である。この静電霧化装置は、ケーシング２の後壁２ｂに、通流路２１に開口する孔２２と、該孔２２から通流方向下流側及び上流側へ離隔した位置で通流路２１に開口するバイパス路２１ｂとが設けられ、放電電極４２，４２及び誘導電極環４３，４３が孔２２から通流路２１に臨むように保持ケース４５が後壁２ｂに取付けられ、放熱板４４がバイパス路２１ｂに配され、通流路２１から分流してバイパス路２１ｂを通流する空気にて冷却されるようになしてある。
【００５１】
この実施の形態にあっては、帯電微粒子水発生部４の放熱板４４が、通流路２１から分流したバイパス路２１ｂに配されており、送風機３から通流路２１に送出される空気にて放熱板４４を冷却することができるため、放熱板４４の放熱性を高めることができる。
その他の構成及び作用は実施の形態１と同様であるため、同様の部品については同じ符号を付し、その詳細な説明及び作用効果の説明を省略する。
【００５２】
以上説明した実施の形態１−７は、いずれか二つ以上の実施の形態を組み合わせる構成としてもよい。
【００５３】
尚、以上説明した実施の形態では、極性が異なる放電電極４２，４２を有する帯電微粒子水発生部４を備える構成としたが、その他、帯電微粒子水発生部４は、極性が同じ放電電極を有する構成であってもよい。
【００５４】
また、以上説明した実施の形態では、放熱板４４における他面の放電電極４２，４２間に、放電棒部４２ｂ，４２ｂの先端よりも誘導電極環４３，４３側の位置に亘って突起４７を設けてある構成としたが、その他、突起４７は、電極板部４２ａと対向する高さ、又は放電棒部４２ｂの基端側と対向する高さ、換言すると放電棒部４２ｂの先端よりも低い高さであってもよく、突起４７の高さは特に制限されない。突起４７の高さが放電棒部４２ｂの先端よりも低い場合、放電電極４２，４２間の沿面距離を確保することができるため、極性が異なる放電電極４２，４２間の絶縁を確保することができる。
【００５５】
また、以上説明した実施の形態では、放熱板４４の他面に、ペルチェ素子４１，４１及び放電電極４２，４２を取り囲む筒形の突起４８，４８を、放電棒部４２ｂ，４２ｂの先端よりも誘導電極環４３，４３側の位置に亘って設けてある構成としたが、その他、筒形の突起４８，４８は、電極板部４２ａと対向する高さ、又は放電棒部４２ｂの基端側と対向する高さ、換言すると放電棒部４２ｂの先端よりも低い高さであってもよく、筒形の突起４８の高さは特に制限されない。筒形の突起４８の高さが放電棒部４２ｂの先端よりも低い場合、放電電極４２，４２間の沿面距離を確保することができるため、極性が異なる放電電極４２，４２間の絶縁を確保することができる。
【００５６】
また、以上説明した実施の形態では、帯電微粒子水発生部４が異極性の放電電極４２，４２を備える構成としたが、その他、帯電微粒子水発生部は、同極性の放電電極４２，４２を備える構成であってもよい。
【００５７】
また、本発明に係る静電霧化装置は、冷房機能及び暖房機能の少なくとも一つを備える空気調和機に組み込まれてもよい。この場合、静電霧化装置を備える空気調和機となる。
【符号の説明】
【００５８】
４    帯電微粒子水発生部
４１  ペルチェ素子
４２  放電電極
４３  誘導電極環
４４  放熱板
４４ａ  放熱凸部（放熱フィン）
４６  溝
４７  突起
４８  筒形の突起
４９  絶縁突起
【図１】
2013049039.tif 000003
【図２】
2013049039.tif 000004
【図３】
2013049039.tif 000005
【図４】
2013049039.tif 000006
【図５】
2013049039.tif 000007
【図６】
2013049039.tif 000008
【図７】
2013049039.tif 000009
【図８】
2013049039.tif 000010
【図９】
2013049039.tif 000011
【図１０】
2013049039.tif 000012
【図１１】
2013049039.tif 000013
【図１２】
2013049039.tif 000014